(57)【特許請求の範囲】
【請求項１】
１の側辺に開口部が設けられ略矩形袋状に形成された本体と、その本体の開口部から延設され、前記開口部を閉封する閉封片とを備えた封筒において、
前記本体には、その本体の互いに交差する２側辺の端縁部またはその２側辺の端縁部から所定間隔内側に第１の切り取り予定線が設けられており、
その第１の切り取り予定線に沿って前記本体を切り取ることにより、前記本体は、互いに交差する前記２側辺が開口したフォルダ状に形成され、
前記本体は、互いに対向する表部と裏部とから略矩形袋状に形成されるものであり、
その本体の表部または裏部のいずれか一方には、前記第１の切り取り予定線から所定間隔内側に第２の切り取り予定線が設けられ、
その第２の切り取り予定線に沿って前記本体の表部または裏部のいずれか一方を切り取ることにより、その本体の表部または裏部の一方から突出する見出し片が本体の表部または裏部の他方に形成されることを特徴とする封筒。
【請求項２】
１の側辺に開口部が設けられ略矩形袋状に形成された本体と、その本体の開口部から延設され、前記開口部を閉封する閉封片とを備えた封筒において、
前記本体には、その本体の互いに交差する２側辺の端縁部またはその２側辺の端縁部から所定間隔内側に第１の切り取り予定線が設けられており、
その第１の切り取り予定線に沿って前記本体を切り取ることにより、前記本体は、互いに交差する前記２側辺が開口したフォルダ状に形成され、
前記本体は、互いに対向する表部と裏部とから略矩形袋状に形成されるものであり、
前記本体の表部または裏部のいずれか一方は、その本体の表部または裏部の端縁部と前記第１の切り取り予定線とに囲まれて形成される折り返し予定片を備えており、
その折り返し予定片の外周を第１の切り取り予定線に沿って切り取ると共に外周が切り取られた折り返し予定片を端縁部を折り目として折り返すことにより、前記本体の表部または裏部の他方から外側に突出する折り返し見出し片が形成されることを特徴とする封筒。
【請求項３】
前記本体または閉封片には、前記第１の切り取り予定線または第２の切り取り予定線の切り取り順序を記号や数字等を用いて表す切り取り順序表示が表示されていることを特徴とする請求項１又は２に記載の封筒。
【請求項４】
前記本体の表部は、郵送先の住所や宛名等を記載するために使用される側に形成されると共に、前記本体の裏部は、差出人の住所や氏名等を記載するために使用される側に形成され、前記切り取り順序表示は、前記本体の裏部または前記開口部を閉封した閉封片の裏部側に表示されていることを特徴とする請求項３記載の封筒。
【請求項５】
前記切り取り順序表示は、前記第１の切り取り予定線または第２の切り取り予定線に沿って前記本体を切り取った場合に、その本体から分離される分離予定片に表示されていることを特徴とする請求項３又は４に記載の封筒。
【請求項６】
前記閉封片には、前記第１の切り取り予定線および第２の切り取り予定線に対応する位置に第３の切り取り予定線が設けられており、前記閉封片が本体の開口部を閉封した場合には、その第３の切り取り予定線が前記第１の切り取り予定線および第２の切り取り予定線にほぼ重なるように構成されていることを特徴とする請求項１から５のいずれかに記載の封筒。
【請求項７】
前記閉封片が前記本体の開口部から延設される延設長さは、前記第１の切り取り予定線および第２の切り取り予定線が前記本体の開口部から離間する離間長さよりも短くされていることを特徴とする請求項１から５のいずれかに記載の封筒。
【請求項８】
前記本体には、前記第１の切り取り予定線が設けられる２側辺の内のいずれか一方に連設される側辺の端縁部またはその側辺の端縁部から所定間隔内側に第４の切り取り予定線が設けられており、
その第４の切り取り予定線および前記第１の切り取り予定線に沿って本体を切り取ることにより、前記本体は、その３側辺が開口されたフォルダ状に形成されることを特徴とする請求項１又は２に記載の封筒。
【請求項９】
前記第１から第４までの切り取り予定線は、切り取りミシン目により構成されていることを特徴とする請求項１から８のいずれかに記載の封筒。
【発明の詳細な説明】
【０００１】
【発明の属する技術分野】
本発明は、封筒に関し、特に、使用済み封筒の再利用を促進することができる封筒に関するものである。
【０００２】
【従来の技術】
従来より、書類等を郵送するために使用される封筒には、目的や用途に応じて使い分けられるように、様々な大きさや形状のものが提供されている。例えば、ＪＩＳ−Ｓ５５０２によると、封筒は、縦横の長さの比率により長形、角形または洋形の３タイプに分類されており、その大きさにも様々なタイプが規格されている。また、最近では、封筒の一部が切り抜かれフィルム等が貼り付けられたた窓付きの封筒などもあり、請求書の郵送やダイレクトメール等に利用されている。更に、書類等の収納量を確保するためにマチひだ付きの封筒や閉じ紐付きの封筒なども提供されている。
【０００３】
【発明が解決しようとする課題】
ところで、近年の時勢として、環境保護に対する意識が高まっており、資源の有効活用や再利用を踏まえた製品開発が主流となっている。しかしながら、封筒においては、上述したように様々な種類のものが提供されている一方で、環境保護を考慮した封筒としては、構成素材に再生紙が使用されるに留まり、使用済み封筒自体の再利用を十分に促進することができる技術は提供されていないという問題点があった。
【０００４】
例えば、封筒を受け取った者が予め封筒に形成されている中蓋等により宛名や住所等を覆い隠し、かかる封筒を自社の封筒として異なる相手に再度郵送（再利用）することができる封筒が提案されている。しかしながら、この封筒では、中蓋等を貼り付ける作業が繁雑であるという問題点があるばかりか、商取引等においては新品の封筒を用いることが慣例とされる日本の風潮に馴染まないという問題点があった。そのため、使用済み封筒を郵送用として再利用可能な形態に構成したのでは、受取人側が使用済み封筒を十分に活用することができず、その結果、使用済み封筒は廃棄され、封筒の再利用が一向に促進されないのである。
【０００５】
本発明は、上述した問題点を解決するためになされたものであり、使用済み封筒の再利用を促進することができる封筒を提供することを目的としている。
【０００６】
【課題を解決するための手段】
この目的を達成するために請求項１記載の封筒は、１の側辺に開口部が設けられ略矩形袋状に形成された本体と、その本体の開口部から延設され、前記開口部を閉封する閉封片とを備えるものであり、前記本体には、その本体の互いに交差する２側辺の端縁部またはその２側辺の端縁部から所定間隔内側に第１の切り取り予定線が設けられており、その第１の切り取り予定線に沿って前記本体を切り取ることにより、前記本体は、互いに交差する前記２側辺が開口したフォルダ状に形成され、前記本体は、互いに対向する表部と裏部とから略矩形袋状に形成されるものであり、その本体の表部または裏部のいずれか一方には、前記第１の切り取り予定線から所定間隔内側に第２の切り取り予定線が設けられ、その第２の切り取り予定線に沿って前記本体の表部または裏部のいずれか一方を切り取ることにより、その本体の表部または裏部の一方から突出する見出し片が本体の表部または裏部の他方に形成される。
【０００７】
この請求項１記載の封筒によれば、第１の切り取り線に沿って本体が切り取られると、この本体は、互いに交差する２側辺が開口したフォルダ状に形成される。よって、このように第１の切り取り線に沿って本体が切り取られた封筒には、互いに交差する２側辺が開口してフォルダ状に形成された本体の内面間に書類等を収納することができる。
【０００８】
請求項２記載の封筒は、１の側辺に開口部が設けられ略矩形袋状に形成された本体と、その本体の開口部から延設され、前記開口部を閉封する閉封片とを備えるものであり、前記本体には、その本体の互いに交差する２側辺の端縁部またはその２側辺の端縁部から所定間隔内側に第１の切り取り予定線が設けられており、その第１の切り取り予定線に沿って前記本体を切り取ることにより、前記本体は、互いに交差する前記２側辺が開口したフォルダ状に形成され、前記本体は、互いに対向する表部と裏部とから略矩形袋状に形成されるものであり、前記本体の表部または裏部のいずれか一方は、その本体の表部または裏部の端縁部と前記第１の切り取り予定線とに囲まれて形成される折り返し予定片を備えており、その折り返し予定片の外周を第１の切り取り予定線に沿って切り取ると共に外周が切り取られた折り返し予定片を端縁部を折り目として折り返すことにより、前記本体の表部または裏部の他方から外側に突出する折り返し見出し片が形成される。
【０００９】
【００１０】
請求項３記載の封筒は、請求項１又は２に記載の封筒において、前記本体または閉封片には、前記第１の切り取り予定線または第２の切り取り予定線の切り取り順序を記号や数字等を用いて表す切り取り順序表示が表示されている。
【００１１】
請求項４記載の封筒は、請求項３記載の封筒において、前記本体の表部は、郵送先の住所や宛名等を記載するために使用される側に形成されると共に、前記本体の裏部は、差出人の住所や氏名等を記載するために使用される側に形成され、前記切り取り順序表示は、前記本体の裏部または前記開口部を閉封した閉封片の裏部側に表示されている。
【００１２】
請求項５記載の封筒は、請求項３又は４に記載の封筒において、前記切り取り順序表示は、前記第１の切り取り予定線または第２の切り取り予定線に沿って前記本体を切り取った場合に、その本体から分離される分離予定片に表示されている。
【００１３】
請求項６記載の封筒は、請求項１から５のいずれかに記載の封筒において、前記閉封片には、前記第１の切り取り予定線および第２の切り取り予定線に対応する位置に第３の切り取り予定線が設けられており、前記閉封片が本体の開口部を閉封した場合には、その第３の切り取り予定線が前記第１の切り取り予定線および第２の切り取り予定線にほぼ重なるように構成されている。
【００１４】
請求項７記載の封筒は、請求項１から５のいずれかに記載の封筒において、前記閉封片が前記本体の開口部から延設される延設長さは、前記第１の切り取り予定線および第２の切り取り予定線が前記本体の開口部から離間する離間長さよりも短くされている。
【００１５】
請求項８記載の封筒は、請求項１又は２に記載の封筒において、前記本体には、前記第１の切り取り予定線が設けられる２側辺の内のいずれか一方に連設される側辺の端縁部またはその側辺の端縁部から所定間隔内側に第４の切り取り予定線が設けられており、その第４の切り取り予定線および前記第１の切り取り予定線に沿って本体を切り取ることにより、前記本体は、その３側辺が開口されたフォルダ状に形成される。
【００１６】
【００１７】
【００１８】
請求項９記載の封筒は、請求項１から８のいずれかに記載の封筒において、前記第１から第４までの切り取り予定線は、切り取りミシン目により構成されている。
【００１９】
【発明の実施の形態】
以下、本発明の好ましい実施例について、添付図面を参照して説明する。図１（ａ）は、本発明の第１実施例における封筒１の背面図である。なお、図１（ａ）における封筒１は、封かん前の状態が図示されている。
【００２０】
まず、図１（ａ）を参照して、封筒１の全体構成について説明する。本発明の封筒１は、環境保護等の観点から使用済み封筒の再利用を促進するために、書類等を保管するフォルダとして再利用できるように構成されたものであり、袋状に形成された本体２と封かん用のフラップ３とを備えている。なお、本実施例では封筒１として、いわゆる角形タイプを例に説明するが、長形タイプや洋形タイプであっても良い。また、封筒１は、いわゆる「中貼」されたものを例に説明するが、その貼り方は、いわゆる左（右）横貼や左（右）横逆貼、内（外）カマス貼等であっても良い。
【００２１】
本体２は、書類等を収納するための部位であり、図１（ａ）に示すように、１側辺（図１（ａ）上側）に開口部４が形成された略矩形袋状に構成されている。この本体２は、互いに対向する裏部２ａ（図１（ａ）紙面手前側）と表部２ｂ（図１（ａ）紙面奥側）とを備え、これら裏部２ａと表部２ｂとから略矩形袋状に形成されている。裏部２ａは、封筒１の背面側に相当し、差出人の住所や氏名等を記入する側であり、表部２ｂは、封筒１の正面側に相当し、郵送先の住所や宛名等を記入する側である。
【００２２】
本体２には、その互いに交差する２側辺（図１（ａ）上側及び右側）に、複数の切り取りミシン目が設けられている。この切り取りミシン目は、使用済み封筒１をフォルダとして再利用する際に、はさみ等の使用など特別な手間をかけることなく容易に封筒１を切り取ることができるように設けられたものであり、外形ミシン目５，６と見出しミシン目７とを備えている。
【００２３】
外形ミシン目５は、開口部４側（図１（ａ）上側）の端部を本体２から切り離す為の切り取りミシン目であり、その開口部４側の側辺から所定間隔内側（図１（ａ）下方）において、本体２の一端から他端までの間を左右に横断して直線状に設けられている。また、外形ミシン目６は、本体２の開口部４に連設された側辺（図１（ａ）右側）の端部を本体２から切り離す為の切り取りミシン目であり、その側辺の端縁部（図１右端）から所定間隔内側（図１（ａ）左方）において、上述した外形ミシン目５から本体２の底部（図１（ａ）下側）までの間を上下に横断して直線状に設けられている。
【００２４】
これら外形ミシン目５，６は、本体２の裏部２ａと表部２ｂとのそれぞれに重ねて設けられており、かかる外形ミシン目５，６に沿って本体２を切り取ることによって、本体２の裏部２ａと表部２ｂとを同時に切り取ることができる。よって、本体２の各端部（図１（ａ）上側及び下側）を容易に本体２から切り離すことができ、その結果、後述するように本体２を２側辺が開口したフォルダ状に効率的に形成することができるのである。
【００２５】
一方、見出しミシン目７は、２側辺が開口しフォルダ状に形成された本体２に見出し部９（図２参照）を形成する為の切り取りミシン目であり、外形ミシン目５，６から所定間隔内側において、その外形ミシン目５，６と共に所定領域を囲むように設けられている。なお、この見出しミシン目７は、本体２の裏部２ａにのみ設けられており、表部２ｂには設けられていない。
【００２６】
よって、上述した外形ミシン目５，６に沿って本体２を切り取ると共に、見出しミシン目７に沿って本体２の裏部２ａを切り取ることにより、見出しミシン目７と外形ミシン目５，６とにより囲まれた所定領域を本体２の裏部２ａから切り離すことができ、その結果、２側辺が開口しフォルダ状に形成された本体２に見出し部９を形成することができるのである（図２参照）。
【００２７】
また、本体２には、切り取りミシン目の近傍に切り取り順序表示８ａ〜８ｃが印刷されている（図１（ｂ）参照）。この切り取り順序表示８は、各切り取りミシン目（外形ミシン目５，６、見出しミシン目７）の切り取り順序と切り取り方向とをそれぞれ数字と矢印とにより作業者に報知する為のものであり、封筒１の背面側（図１（ａ）紙面手前側）、即ち、本体２の裏部２ａに印刷されている。なお、後述するフラップ３に印刷された切り取り順序表示８ａは、封かん前の状態では封筒１の正面側（図１（ａ）紙面奥側）に配設されるが、封かん後には、フラップ３が折り返されることにより、封筒１の背面側（図１（ａ）紙面手前側）に配設される（図１（ｂ）参照）。
【００２８】
その結果、郵送先の住所や宛名を記載するために使用される封筒１の正面側（表部２ｂ）の外観を損なうことなく、各切り取りミシン目の切り取り順序を作業者に報知することができるのである。なお、切り取り順序表示８ａ〜８ｃは、必ずしも印刷に限られず、少なくとも切り取り作業者が認識可能に構成されていれば良い。例えば、シールや手書き等により構成されていても良い。請求項３から請求項５において記載した表示もこれと同様の趣旨である。
【００２９】
フラップ３は、本体２の開口部４を閉封するためのものであり、その本体２の開口部４から突片状に延設されている。このフラップ３は、本体２の横幅（図１（ａ）左右方向幅）と略同等の幅に形成されており、かかるフラップ３を折り返して本体２に貼り付けることにより、本体２の開口部４が閉封され、封筒１が封かんされる（図１（ｂ）参照）。なお、フラップ３の貼り付けを容易とする為に、封筒１を口糊付きタイプに構成しても良い。例えば、フラップ３或いは本体２のフラップ３が被さる部分に、再湿糊（アラビア糊）や加圧接着性のゴム系接着剤の塗布面を設けておいたり、剥離紙付きのテープタックやファインタックを設けておいても良い。
【００３０】
次に、図１（ｂ）及び図２を参照して、以上のように構成された封筒１の再利用方法を説明する。図１（ｂ）は、封筒１の部分拡大背面図であり、図２は、封筒１を再利用したフォルダの斜視図である。なお、図１（ｂ）における封筒１は、封かん後の状態が図示されている。
【００３１】
封筒１の受取人は、各切り取りミシン目を切り取ることによりフォルダを作成するのであるが、この封筒１には、上述したように、切り取り順序表示８ａ〜８ｃが印刷されており、各切り取りミシン目の切り取り順序や切り取り方向が数字や矢印により作業者に報知されている。よって、封筒１を受け取った者は、この切り取り順序表示８ａ〜８ｃに従って各切り取りミシン目を順番に切り取るだけで、容易かつ効率的に封筒１を再利用する（フォルダを作成する）ことができるのである。その結果、かかる封筒１の再利用方法（フォルダの作成方法）が受取人に理解されなかったり、煩雑な作業が敬遠されて、開封後の封筒が不用意に廃棄されてしまう事を抑制することができるのである。
【００３２】
なお、封筒１には、その背面側（裏部２ａ）等に、封筒１の再利用方法（例えば、フォルダとして再利用できる旨やフォルダの作成方法等）が記載される説明欄を表示しておくことが好ましい。受取人に封筒１の活用方法を十分に理解させ、封筒１の再利用を一層促進させることができると共に、差出人の環境保護に取り組む姿勢をアピールすることも同時にできるからである。
【００３３】
具体的には、まず、図１（ｂ）に示すように、数字「１」が表示された切り取り順序表示８ａに従って外形ミシン目５を矢印の方向へ切り取る。この外形ミシン目５に沿いつつ本体２の裏部２ａと表部２ｂとを同時に切り取ることにより、本体２の上側（図１（ｂ）上側）の端部が本体２から切り離され、図２に示すように、本体２の上側（図２上側）側辺が開口する。
【００３４】
次いで、数字「２」が表示された切り取り順序表示８ｂに従って外形ミシン目６を矢印の方向へ切り取る。この外形ミシン目６に沿いつつ本体２の裏部２ａと表部２ｂとを同時に切り取ることにより、、本体２の右側（図１（ｂ）右側）の端部が本体２から切り離され、図２に示すように、本体２の右側（図２右側）側辺が開口する。
【００３５】
その結果、本体２（封筒１）は、図２に示すように、互いに交差する２側辺（図２上側及び右側）が開口した状態に構成され、使用済みの封筒１（本体２）をフォルダとして再利用することができるのである。なお、このフォルダは、本体２の裏部２ａと表部２ｂとの対向面間に挟むだけ書類等を収容することができるので、重要な書類でも穴を開けることなく保管することができ、また、持ち運びが自在であったり、多数の書類等を細分類し机上を効率良く整理できる等、様々な用途に活用できる大変便利なものなのである。
【００３６】
数字「２」が表示された切り取り順序表示８ｂの次は、数字「３」が表示された切り取り順序表示８ｃに従って見出しミシン目７を矢印の方向へ切り取る。見出しミシン目７は、上述したように、本体２の裏部２ａにのみ設けられている。よって、この見出しミシン目７に沿って本体２の裏部２ａを切り取ることにより、図２に示すように、本体２の裏部２ａの一部分が取り除かれ、その結果、本体２の表部２ｂに見出し部９が形成される。この見出し部９には、フォルダ内に収納する書類名や分類等を記入等することができるので、フォルダとしての機能や使い勝手をより向上させることができるのである。
【００３７】
ここで、本実施例では、本体２の裏部２ａだけを切り取る必要があるもの（見出しミシン目７）に対しては、切り取り順序表示８ｃの矢印（破線矢印）を、図１（ｂ）に示すように、他の切り取り順序表示８ａ，８ｂの矢印（実線矢印）と異なる表示形態とした。その結果、作業者は、矢印の表示形態に基づいて、本体２の裏部２ａだけを切り取る必要がある切り取りミシン目を確実に認識することができるので、各切り取りミシン目を適正に切り取り、フォルダを確実に完成させることができるのである。
【００３８】
なお、本体２の裏部２ａに印刷されている各切り取り順序表示８ａ〜８ｃは、図１（ｂ）及び図２に示すように、最終的にフォルダとなる部位ではなく、かかるフォルダから切り離される部位（分離予定片）に印刷されている。よって、各切り取り順序表示８ａ〜８ｃは、各切り取りミシン目（外形ミシン目５，６、見出しミシン目７）に沿って本体２が切り取られる毎に分離予定片と共に、本体２から切り離される。よって、完成したフォルダには、切り取り順序表示８ａ〜８ｃの印刷が残存せず（図２参照）、かかるフォルダのデザインや美観を向上させることができるのである。
【００３９】
また、上述したように、各切り取りミシン目の切り取り順序は、まず、外形ミシン目５，６を切り取ることにより本体２の外形を形成し、その後、見出しミシン目７を切り取ることにより見出し部９を形成するように構成された。このようにすることで、各切り取りミシン目の切り取り作業性が向上し、効率的に作業を進めることができるのである。
【００４０】
次に、図３及び図４を参照して第２実施例について説明する。第１実施例の封筒１が本体２にのみ切り取りミシン目が設けられていたのに対し、第２実施例の封筒１１は、本体１２に加えてフラップ１３にも切り取りミシン目が設けられている。なお、前記した第１実施例と同一の部分には同一の符号を付して、その説明は省略する。
【００４１】
図３（ａ）は、本発明の第２実施例における封筒１１の背面図であり、封かん前の状態が図示されている。封筒１１は、第１実施例と同様に、１側辺（図３（ａ）上側）に開口部１４を有し略矩形袋状に形成された本体１２を備えている。この本体１２には、第１実施例と同様に、その互いに交差する２側辺（図３（ａ）上側及び右側）に、複数の切り取りミシン目（外形ミシン目１５，１６，１７及び見出しミシン目１９）が設けられており、第２実施例では、更に、フラップ１３にも複数の切り取りミシン目（外形ミシン目１８及び見出しミシン目２０）が設けられている。
【００４２】
本体１２に設けられる外形ミシン目１５は、開口部１４側（図３（ａ）上側）の端部を本体１２から切り離す為の切り取りミシン目であり、本体１２を左右に横断して直線状に設けられている。一方、外形ミシン目１６，１７は、本体１２の他方の側辺（図３（ａ）右側）を開口させると共に、見出し部２２を形成する為の切り取りミシン目である。外形ミシン目１６は、側辺の端縁部（折り返し部、図３（ａ）右端）に設けられており、外形ミシン目１７は、側辺から所定間隔内側（図３（ａ）左方）に設けられている。なお、外形ミシン目１５，１７は、本体１２の裏部１２ａと表部１２ｂとのそれぞれに重ねて設けられている。
【００４３】
また、フラップ１３に設けられる外形ミシン目１８は、上述した外形ミシン目１５と同様に、開口部１４側（図３（ａ）上側）の端部を本体１２から切り離す為の切り取りミシン目である。この外形ミシン目１８は、フラップ１３を左右に横断して直線状に設けられると共に、そのフラップ１３が折り返された場合には、上述した外形ミシン目１５にほぼ重なるように構成されている（図３（ｂ）参照）。よって、フラップ１３が折り返され、図３（ｂ）に示すように、外形ミシン目１５が覆い隠された場合においても、後述する切り取り順序表示２１ａに従って外形ミシン目１８を切り取ることにより、本体１２とフラップ１３とを同時に切り取ることができ、その結果、本体１２の上側端部（図３（ａ）上側）を容易に本体１２から切り離すことができるのである。
【００４４】
見出しミシン目１９は、第１実施例と同様に、見出し部２２（図４参照）を形成する為の切り取りミシン目であり、本体１２の裏部１２ａ（図３（ａ）紙面手前側）にのみ設けられ、表部１２ｂには設けられていない。また、フラップ１３に設けられる見出しミシン目２０は、上述した外形ミシン目１８と同様の目的で設けられたものであり、フラップ１３が折り返された場合には、見出しミシン目１９にほぼ重なるように構成されている（図３（ｂ）参照）。
【００４５】
次に、図３（ｂ）及び図４を参照して、以上のように構成された第２実施例における封筒１１の再利用方法を説明する。図３（ｂ）は、封筒１１の部分拡大背面図であり、図４は、封筒１１を再利用したフォルダの斜視図である。なお、図３（ｂ）における封筒１１は、封かん後の状態が図示されている。
【００４６】
第２実施例における封筒１１には、第１実施例と同様に、切り取り順序表示２１ａ〜２１ｄが印刷されており、各切り取りミシン目の切り取り順序や切り取り方向が数字や矢印により作業者に報知されている。よって、封筒１１を受け取った者は、この切り取り順序表示２１ａ〜２１ｄに従って各切り取りミシン目を順番に切り取って行くだけで、容易かつ効率的に封筒１１を再利用する（フォルダを作成する）ことができる。また、本体１２の裏部１２ａだけを切り取る必要があるもの（見出しミシン目１９，２０）に対しては、第１実施例と同様に、切り取り順序表示２１ｄの矢印（破線矢印）が、図３（ｂ）に示すように、他の切り取り順序表示２１ａ〜２１ｃの矢印（実線矢印）と異なる表示形態とされている。その結果、作業者は、矢印の表示形態に基づいて、本体１２の裏部１２ａだけを切り取る必要がある切り取りミシン目を確実に認識することができるので、各切り取りミシン目を適正に切り取り、フォルダを確実に完成させることができるのである。
【００４７】
具体的には、まず、図３（ｂ）に示すように、数字「１」が表示された切り取り順序表示２１ａに従って外形ミシン目１５，１８を矢印の方向へ切り取る。外形ミシン目１５，１８に沿いつつ本体２の裏部２ａと表部２ｂ及びフラップ１３とを同時に切り取ることにより、本体１２の上側（図３（ｂ）上側）の端部が本体１２から切り離され、図４に示すように、本体１２の上側（図４上側）側辺が開口する。
【００４８】
次いで、数字「２」が表示された切り取り順序表示２１ｂに従って外形ミシン目１６を矢印の方向へ切り取ることにより、本体１２の端縁部（折り返し部、図３（ｂ）右端）の一部を開放させる。更に、数字「３」が表示された切り取り順序表示２１ｃに従って外形ミシン目１７を切り取る。外形ミシン目１７に沿って本体２の裏部２ａと表部２ｂとを同時に切り取ることにより、本体１２の右側（図３（ｂ）右側）の端部の一部が本体１２から切り離され、図４に示すように、本体１２の右側（図４右側）側辺が開口する。なお、その側辺の一部（図４上側）が外側（図４右側）へ突出して形成されるが、この突出部は、後述する見出しミシン目１９，２０の切り取り後、見出し部２２として構成される。
【００４９】
その結果、本体１２（封筒１１）は、図４に示すように、互いに交差する２側辺（図４上側及び右側）が開口した状態に構成され、使用済みの封筒１１（本体１２）をフォルダとして再利用することができるのである。
【００５０】
数字「３」が表示された切り取り順序表示２１ｃの次は、数字「４」が表示された切り取り順序表示２１ｄに従って見出しミシン目１９，２０を矢印の方向へ切り取る。見出しミシン目１９，２０に沿って本体１２の裏部１２ａのみを切り取ることにより、図４に示すように、本体１２の裏部１２ａの一部分が取り除かれ、その結果、本体１２の表部１２ｂに見出し部２２が形成されるのである。
【００５１】
この見出し部２２は、図４に示すように、本体１２の外形から外側に突出して形成されている。よって、この見出し部２２に記入等した内容がフォルダ内に収納された書類等によって隠れてしまうことを防止することができる。また、複数のフォルダを重ねて使用する場合においても、見出し部２２に記入等した内容の視認性がより向上するため、フォルダとしての機能や使い勝手をより向上させることができるのである。
【００５２】
なお、切り取り順序表示２１ｄの矢印（破線矢印）は、第１実施例と同様に、他の切り取り順序表示２１ａ〜２１ｃの矢印（実線矢印）と異なる表示形態に構成されている。よって、作業者は、矢印の表示形態により、本体１２の裏部１２ａだけを切り取る必要があるものを確実に認識することができ、各切り取りミシン目を適正に切り取ることができるのである。また、各切り取り順序表示２１ａ〜２１ｄは、図３（ｂ）及び図４に示すように、フォルダから切り離される分離予定片側に印刷されているので、第１実施例と同様に、完成したフォルダにその印刷が残存せず（図４参照）、フォルダのデザインや美観を向上させることができるのである。
【００５３】
次に、図５（ａ），（ｂ）を参照して第３実施例について説明する。第１実施例の封筒１１が本体１２（裏部１２ａ）の一部を本体１２（裏部１２ａ）から切り離すことによって見出し部２２が形成されたのに対し、第３実施例の封筒３１は、本体３２（裏部３２ａ）の一部を折り返すことによって、見出し部４３が形成されるように構成されている。なお、前記した第１実施例と同一の部分には同一の符号を付して、その説明は省略する。
【００５４】
図５（ａ）は、本発明の第３実施例における封筒３１の背面図であり、図５（ｂ）は、封筒３１を再利用したフォルダの斜視図である。なお、図５（ａ）では、封かん前の封筒３１の状態が図示されている。封筒３１は、第１実施例と同様に、１側辺（図５（ａ）上側）に開口部３４を有し略矩形袋状に形成された本体３２を備えており、その本体３２の互いに交差する２側辺（図５（ａ）上側及び右側）に、外形ミシン目３５，３６及び見出しミシン目１９が設けられている。
【００５５】
外形ミシン目３５は、開口部３４側（図５（ａ）上側）の端部を本体３２から切り離す為の切り取りミシン目であり、本体３２を左右に横断して直線状に設けられている。また、外形ミシン目３６は、本体３２の右側の側辺を開口させる為の切り取りミシン目であり、その側辺の端縁部（折り返し部、図５（ａ）右端）に設けられている。このように、外形ミシン目３６を本体３２の端縁部（折り返し部）に設けることによって、フォルダの横幅を最大限大きくすることができ、その結果、フォルダにより多くの書類等を収容することができるのである。なお、外形ミシン目３５，３６は、本体３２の裏部３２ａと表部３２ｂとのそれぞれに重ねて設けられている。
【００５６】
見出しミシン目３７は、本体３２の右側の側辺を開口させると共に、見出し部４３（図５（ｂ）参照）を形成する為の切り取りミシン目であり、本体３２の右側の側辺から所定間隔内側に設けられている。なお、見出しミシン目３７は、本体３２の裏部３２ａにのみ設けられており、表部３２ｂには設けられていない。
【００５７】
更に、第３実施例における封筒３１には、上述した外形ミシン目３５，３６及び見出しミシン目３７から所定間隔内側にも切り取りミシン目が設けられている。この内側に設けられた切り取りミシン目は、より小さな外形のフォルダを作成する際に使用されるものであり、外形ミシン目３９，４０と見出しミシン目４１とを備えている。
【００５８】
外形ミシン目３９，４０は、本体３２の上側及び右側の端部を本体３２から切り離す為の切り取りミシン目であり、本体３２の２側辺に平行な直線状に設けられている。一方、見出しミシン目４１は、２側辺が開口しフォルダ状に形成された本体３２に見出し部を形成する為の切り取りミシン目であり、外形ミシン目３９，４０から所定間隔内側に設けられている。なお、なお、外形ミシン目３９，４０は、本体３２の裏部３２ａと表部３２ｂとのそれぞれに重ねて設けられており、見出しミシン目７は、本体２の裏部２ａにのみ設けられ、表部２ｂには設けられていない。
【００５９】
次に、以上のように構成された第３実施例における封筒３１の再利用方法を説明する。第３実施例における封筒３１には、第１実施例と同様に、切り取り順序表示３８ａ，３８ｂが各切り取りミシン目の近傍に印刷されているので、作業者は、各切り取りミシン目の切り取り順序や切り取り方向を容易に認識することができる。なお、外形ミシン目３５の切り取り順序等を表示する切り取り順序表示（図示せず）は、フラップ３３の表部３２ｂ側（図５（ａ）紙面奥側）に印刷されており、そのフラップ３３を折り返すことによって、第１実施例と同様に、外形ミシン目３５の近傍に配置されるように構成されている（図１（ｂ）参照）。
【００６０】
まず、数字「１」が表示された切り取り順序表示（図示せず）に従って外形ミシン目３５を矢印の方向へ切り取る。外形ミシン目３５に沿いつつ本体３２の裏部２ａと表部２ｂとを同時に切り取ることにより、本体３２の上側（図３（ｂ）上側）の端部が本体３２から切り離され、図５（ｂ）に示すように、本体３２の上側（図５（ｂ）上側）側辺が開口する。
【００６１】
次いで、数字「２」が表示された切り取り順序表示３８ｂに従って見出しミシン目３７を矢印の方向へ切り取る。見出しミシン目１７に沿って本体３２の裏部３２ａのみを切り取ることにより、本体３２の端部（図５（ａ）右側）に折り返し予定片が形成され、この切り返し予定片を本体３２の端縁部（折り返し部、図５（ａ）右端）を折り目として折り返すことにより、本体３２（フォルダ）には、外側（図５（ｂ）右側）へ突出する見出し部４３が形成される（図５（ｂ）参照）。このように、見出し部４３は、折り返し予定片を折り返すことにより形成されるので、その折り返す分だけ外側へ突出することができ、記入等された内容を確実に使用者へ認識させることができるのである。
【００６２】
数字「２」が表示された切り取り順序表示３８ａの次は、数字「３」が表示された切り取り順序表示３８ｂに従って外形ミシン目３６を切り取る。これにより、本体３２の端縁部（折り返し部、図３（ｂ）右端）の下部が開放し、図５（ｂ）に示すように、本体３２の右側側辺が開口する。その結果、本体３２（封筒３１）は、図４に示すように、互いに交差する２側辺（図５（ｂ）上側及び右側）が開口した状態に構成され、使用済みの封筒３１（本体３２）をフォルダとして再利用することができるのである。
【００６３】
また、第３実施例における封筒３１は、フォルダのサイズを用途や目的に応じて適宜選択して再利用することができるように構成されている。即ち、フォルダのサイズが大き過ぎる場合には、外形ミシン目３５，３６等の内側に設けられた外形ミシン目３９，４０及び見出しミシン目４１に沿って本体３２を切り取ることにより、封筒３１をより小さなサイズのフォルダとして再利用することもできるのである。なお、外形ミシン目３９，４０及び見出しミシン目４１の切り取り方法等については、上述した第１実施例の場合とほぼ同様であるので、その説明は省略する。
【００６４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６５】
例えば、上記各実施例では、封筒１，１１，３１を互いに交差する２側辺が開口するフォルダとして再利用する場合を説明したが、更に他の側辺にも切り取りミシン目を設け、封筒１，１１，３１を３側辺が開口するいわゆる投げ込みタイプのフォルダとして再利用するように構成しても良い。この場合には、開口していない側辺の端縁部を折り目としてフォルダ（封筒）を折り返す（裏返す）ことにより、封筒に記載されていた送付先住所や宛名などをフォルダの内面側に隠すことができ、フォルダの美観をより向上させることができる。なお、この他の側辺に設けられる切り取りミシン目が請求項８に記載する第４の切り取り予定線に該当する。
【００６６】
また、上記各実施例では、見出し部９，２２，４３がフォルダの上部側に設けられる場合を説明したが、必ずしもこれに限られるわけではなく、見出し部９，２２，４３がフォルダの中央や底部側に配置されるように構成しても良いのである。このように構成することにより、複数のフォルダが並べられた場合でも、各フォルダの見出し部が他のフォルダの見出し部と重ならず、見出し部９，２２，４３の視認性をより向上させることができるのである。
【００６７】
更に、上記各実施例の封筒１，１１，３１を、いわゆる窓封筒により構成しても良い。これにより、収納された書類等を確認する窓をフォルダに形成することができ、フォルダの使い勝手をより向上させることができる。なお、窓封筒としては、封筒の一部分を切り抜いてフィルムを貼り付けたセロ窓封筒、封筒の一部を樹脂含浸により透明にしたプラ窓封筒、或いは、窓を抜きっぱなしにした窓ヌキ封筒等が例示される。
【００６８】
なお、上記各実施例では、フラップ３，１３，３３により開口部４，１４，３４が閉封された封かん後の封筒１，１１，３１を再利用する場合を説明したが、封かん前の封筒１，１１，３１を再利用することは当然可能である。
【００６９】
【発明の効果】
請求項１記載の封筒によれば、本体の互いに交差する２側辺の端縁部またはその２側辺の端縁部から所定間隔内側には、第１の切り取り予定線が設けられており、この第１の切り取り予定線に沿って本体を切り取ることによって、本体を２側辺が開口したフォルダ状に形成することができる。その結果、この本体の内面間には、書類等を収納することができるので、かかる封筒をフォルダとして再利用することができるという効果がある。
【００７０】
また、この場合、作業者は、予め封筒に設けられている第１の切り取り線に沿って本体を切り取るだけで良いので、容易に作業を行うことができるという効果がある。よって、封筒を再利用するに際して、煩雑な作業をする必要がないので、例えば、かかる封筒を郵送等により受け取った者が、開封後、煩雑な作業を嫌いこの封筒を不用意に廃棄してしまうということを抑制することができるのである。
【００７１】
更に、この封筒の再利用は、封筒の受け取り人自身が使用（再利用）するという形態により行われる。よって、使用済み封筒を再度異なる相手に郵送等することに強い抵抗感を有する日本の風潮にも合致するので、封筒の受取人側が使用済み封筒を十分に活用することができるという効果があり、この点からも封筒の再利用を一層促進することができるのである。
【００７２】
また、本体の表部または裏部のいずれか一方には、第１の切り取り予定線から所定間隔内側に第２の切り取り予定線が設けられており、その第２の切り取り予定線に沿って本体の表部または裏部のいずれか一方を切り取ることによって、本体の表部または裏部の一方から突出する見出し片を本体の表部または裏部の他方に形成することができる。よって、かかる封筒をフォルダとして再利用する場合には、この見出し片をフォルダ内に収納する書類名や分類等を記入等するためのいわゆる見出しラベルとして使用することがことができるので、フォルダとしての機能や使い勝手を向上させることができるという効果がある。
請求項２記載の封筒によれば、本体の互いに交差する２側辺の端縁部またはその２側辺の端縁部から所定間隔内側には、第１の切り取り予定線が設けられており、この第１の切り取り予定線に沿って本体を切り取ることによって、本体を２側辺が開口したフォルダ状に形成することができる。その結果、この本体の内面間には、書類等を収納することができるので、かかる封筒をフォルダとして再利用することができるという効果がある。
また、この場合、作業者は、予め封筒に設けられている第１の切り取り線に沿って本体を切り取るだけで良いので、容易に作業を行うことができるという効果がある。よって、封筒を再利用するに際して、煩雑な作業をする必要がないので、例えば、かかる封筒を郵送等により受け取った者が、開封後、煩雑な作業を嫌いこの封筒を不用意に廃棄してしまうということを抑制することができるのである。
更に、この封筒の再利用は、封筒の受け取り人自身が使用（再利用）するという形態により行われる。よって、使用済み封筒を再度異なる相手に郵送等することに強い抵抗感を有する日本の風潮にも合致するので、封筒の受取人側が使用済み封筒を十分に活用することができるという効果があり、この点からも封筒の再利用を一層促進することができるのである。
また、本体の表部または裏部のいずれか一方は、その本体の表部または裏部の端縁部と第１の切り取り予定線とに囲まれて形成される折り返し予定片を備えており、その折り返し予定片の外周を第１の切り取り予定線に沿って切り取ると共に外周が切り取られた折り返し予定片を端縁部を折り目として折り返すことによって、本体の表部または裏部の他方から外側に突出する折り返し見出し片を形成することができる。よって、かかる封筒をフォルダとして再利用する場合には、この折り返し見出し片をフォルダ内に収納する書類名や分類等を記入等するためのいわゆる見出しラベルとして使用することがことができ、更に、この折り返し見出し片は、折り返す分だけ外方へ突出して形成されるので、折り返し見出し片に記入等された内容を確実に使用者へ認識させることができるという効果がある。その結果、フォルダとしての機能や使い勝手をより向上させることができるという効果があるのである。
【００７３】
【００７４】
請求項３記載の封筒によれば、請求項１又は２に記載の封筒の奏する効果に加え、本体または閉封片には、第１の切り取り予定線または第２の切り取り予定線の切り取り順序を記号や数字等を用いて表す切り取り順序表示が表示されている。よって、封筒の切り取り作業を容易かつ効率的に作業者に行わせることができるという効果があり、その結果、例えば、かかる封筒を郵送等により受け取った者が、封筒の切り取り方法（再利用方法）を理解できずに、或いは、煩雑な作業を嫌って、その封筒を不用意に廃棄してしまうということを抑制することができるのである。
【００７５】
なお、切り取り順序表示の表示は、少なくとも切り取り作業者をして認識可能に構成されておれば良く、例えば、印刷やシール、或いは、手書き等により表示されていても良い。切り取り順序表示を印刷により表示する場合には、かかる切り取り順序表示の印刷を、封筒の製造時の印刷（例えば、郵便番号記入枠や会社名など）と同時に行うことがができる。よって、切り取り順序表示に必要な製造工数を低減して、その分、封筒全体としての製造コストを低減することができるという効果がある。
【００７６】
請求項４記載の封筒によれば、請求項３記載の封筒の奏する効果に加え、切り取り順序表示は、差出人の住所や氏名等を記載するために使用される裏部側に表示され、郵送先の住所や宛名等を記載するために使用される表部側には表示されていない。よって、郵送先の住所や宛名等を記載するためのスペースを表部側に確保することができると共に、郵送先の住所や宛名等を記載する表部側に不要なもの（切り取り順序表示）が表示され、封筒（表部側）の外観が損なわれることを防止することができるという効果がある。
【００７７】
請求項５記載の封筒によれば、請求項３又は４に記載の封筒の奏する効果に加え、切り取り順序表示は、第１の切り取り予定線または第２の切り取り予定線に沿って本体を切り取った場合に、その本体から分離される分離予定片に表示されている。よって、かかる封筒をフォルダとして再利用した場合には、切り取り順序表示は分離予定片と共に封筒から分離されるので、完成したフォルダのデザインや美観を向上させることができるという効果がある。
【００７８】
請求項６記載の封筒によれば、請求項１から５のいずれかに記載の封筒の奏する効果に加え、閉封片には、第１の切り取り予定線および第２の切り取り予定線に対応する位置に第３の切り取り予定線が設けられており、かかる閉封片が本体の開口部を閉封した場合には、その第３の切り取り予定線が第１の切り取り予定線および第２の切り取り予定線にほぼ重なるように構成されている。よって、封筒が封かんされ、封筒の開口部を閉封する閉封片によって第１又は第２の切り取り線が覆い隠された場合においても、その覆い隠された第１又は第２の切り取り線の位置、即ち、封筒の切り取るべき位置を、閉封片に設けられた第３の切り取り線に対応させて作業者に確実に認識させることができると共に、第１から第３までの切り取り線を確実に切り取ることができるという効果がある。
【００７９】
請求項７記載の封筒によれば、請求項１から５のいずれかに記載の封筒の奏する効果に加え、閉封片が本体の開口部から延設される延設長さは、第１の切り取り予定線および第２の切り取り予定線が本体の開口部から離間する離間長さよりも短くされている。よって、封筒の開口部が閉封片により閉封された場合に、かかる閉封片によって第１又は第２の切り取り線が覆い隠されることを防止することができるので、第１又は第２の切り取り線の位置、即ち、封筒の切り取るべき位置を封筒の封かん後においても作業者に確実に認識させることができると共に、第１又は第２の切り取り線を確実に切り取ることができるという効果がある。
【００８０】
請求項８記載の封筒によれば、請求項１又は２に記載の封筒の奏する効果に加え、本体には、第１の切り取り予定線が設けられる２側辺の内のいずれか一方に連設される側辺の端縁部またはその側辺の端縁部から所定間隔内側に第４の切り取り予定線が設けられており、この第４の切り取り予定線および第１の切り取り予定線に沿って本体を切り取ることによって、本体を３側辺が開口したフォルダ状に形成することができる。その結果、かかる封筒をいわゆる投げ込みタイプのフォルダとして再利用することができるという効果がある。
【００８１】
この場合には、開口していない側辺の端縁部を折り目としてフォルダ（封筒）を折り返す（裏返す）ことにより、封筒に記載されていた送付先住所や宛名などをフォルダの内面側に隠すことができる。よって、かかるフォルダの美観をより向上させることができるという効果がある。
【００８２】
【００８３】
【００８４】
請求項９記載の封筒によれば、請求項１から８のいずれかに記載の封筒の奏する効果に加え、第１から第４までの切り取り予定線は、切り取りミシン目により構成されている。よって、はさみ等の使用など特別な手間をかけることなく容易に第１から第４までの切り取り予定線を切り取ることができるという効果がある。その結果、作業者の切り取り作業が容易かつ効率化され、不用意な封筒の廃棄が抑制されるので、封筒の再利用を一層促進することができるのである。
【図面の簡単な説明】
【図１】  本発明の第１実施例における封筒を示した図であり、（ａ）は、封かん前の封筒の背面図であり、（ｂ）は、封かん後の封筒の部分拡大背面図である。
【図２】  封筒を再利用したフォルダの斜視図である。
【図３】  本発明の第２実施例における封筒を示した図であり、（ａ）は、封かん前の封筒の背面図であり、（ｂ）は、封かん後の封筒の部分拡大背面図である。
【図４】  封筒を再利用したフォルダの斜視図である。
【図５】  本発明の第３実施例における封筒を示した図であり、（ａ）は、封かん前の封筒の背面図であり、（ｂ）は、封筒を再利用したフォルダの斜視図である。
【符号の説明】
１，１１，３１                              封筒
２，１２，３２                              本体
２ａ，１２ａ，３２ａ                        裏部
２ｂ，１２ｂ，３２ｂ                        表部
３，１３，３３                              フラップ（閉封片）
４，１４，３４                              開口部
５，６，１５，１６，１７，３５，３６，３７  外形ミシン目（第１の切り取り予定線、切り取りミシン目）
７，１９                                    見出しミシン目（第２の切り取り予定線、切り取りミシン目）
１８                                        外形ミシン目（第３の切り取り予定線、切り取りミシン目）
２０                                        見出しミシン目（第３の切り取り予定線、切り取りミシン目）
３９，４０                                  外形ミシン目（第５の切り取り予定線、切り取りミシン目）
４１                                        見出しミシン目（第６の切り取り予定線、切り取りミシン目）
８ａ〜８ｃ，２１ａ〜２１ｄ，３８ａ〜３８ｂ  切り取り順序表示
９，２２                                    見出し部（見出し片）
４３                                        見出し部（折り返し見出し片）
【図１】
0003768156.tif 000002
【図２】
0003768156.tif 000003
【図３】
0003768156.tif 000004
【図４】
0003768156.tif 000005
【図５】
0003768156.tif 000006